(57)【要約】【課題】流路内に設置される集塵装置であって、流路が湾曲若しくは屈曲していることにより、流路断面において、流速に偏りがある場合や、粒子の大きさに偏りがある場合にも、均一な捕集効率を得ることが可能な集塵装置の提供。【解決手段】流路内に設置される集塵装置であって、流路内を通過する流体中の粒子を捕集するフィルター１１を備え、フィルター１１の流路方向と垂直の方向における粒子の捕集性能の分布が、流路が湾曲若しくは屈曲していることにより生じる流路内を流れる流体の流速の流路方向と垂直の方向における分布、あるいは、前記流路内を流れる粒子の平均粒径の分布に対応していることを特徴とする集塵装置。【選択図】図３
2019118898.tif 000002
【特許請求の範囲】
【請求項１】
流路内に設置される集塵装置であって、
前記流路内を通過する流体中の粒子を捕集するフィルターを備え、
前記フィルターの流路方向と垂直の方向における粒子の捕集性能の分布が、前記流路が湾曲若しくは屈曲していることにより生じる、流路方向と垂直の方向における前記流路内を流れる流体の流速の分布、あるいは、前記流路内を流れる粒子の平均粒径の分布に対応していることを特徴とする集塵装置。
【請求項２】
前記フィルターの流路方向と垂直の方向における粒子の捕集性能の分布が、前記湾曲若しくは屈曲の内側から外側にかけて前記フィルターの厚さを変化させることで形成されていることを特徴とする請求項１に記載の集塵装置。
【請求項３】
前記フィルターの流路方向と垂直の方向における粒子の捕集性能の分布が、前記湾曲若しくは屈曲の内側から外側にかけて前記フィルターの孔径を変化させることで形成されていることを特徴とする請求項１又は２に記載の集塵装置。
【請求項４】
前記フィルターの流路方向と垂直の方向における粒子の捕集性能の分布が、前記湾曲若しくは屈曲の内側から外側にかけて前記フィルターの孔密度を変化させることで形成されていることを特徴とする請求項１から３の何れかに記載の集塵装置。
【請求項５】
前記流路内を通過する流体中の粒子を帯電させる帯電部が、前記流路内の前記フィルターよりも上流側に設けられ、
前記帯電部の流路方向と垂直の方向における帯電能力の分布が、前記流路が湾曲若しくは屈曲していることにより生じる、流路方向と垂直の方向における前記流路内を流れる流体の流速の分布、あるいは、前記流路内を流れる粒子の平均粒径の分布に対応していることを特徴とする請求項１から４の何れかに記載の集塵装置。
【請求項６】
前記帯電部の流路方向と垂直の方向における帯電能力の分布が、
前記流路内を流れる流体の流速の分布に対応させて前記湾曲若しくは屈曲の内側から外側にかけて帯電量が大きくなるように構成されている、
又は、前記流路内を流れる粒子の平均粒径の分布に対応させて前記湾曲若しくは屈曲の内側から外側にかけて帯電量が小さくなるように構成されていることを特徴とする請求項５に記載の集塵装置。
【請求項７】
前記帯電部が、高電圧発生回路から高電圧が供給され、電界集中を発生させる複数の針状の突起を有する高圧電極と、前記高圧電極に対向して設けられ、前記高電圧発生回路から基準電圧が供給される対向電極と、を備え、
前記高圧電極と対向電極との電極間距離が場所によって変化していること、又は、前記針状の突起の設置密度が場所によって変化していること、又は、前記針状の突起の先端形状が場所によって変化していること、又は、前記針状の突起に印加される電圧が場所によって変化していることによって、
前記帯電部の流路方向と垂直の方向における帯電能力の分布を形成することを特徴とする請求項５又は６に記載の集塵装置。
【請求項８】
前記フィルターが、エレクトリック処理されたフィルターである、又は、ハニカム形状若しくはプリーツ形状若しくは目付の不織布で形成されたフィルターであることを特徴とする請求項１から７の何れかに記載の集塵装置。
【請求項９】
請求項１から８の何れかに記載の集塵装置を備えることを特徴とする画像形成装置。
【発明の詳細な説明】
【技術分野】
【０００１】
本発明は、流路内を通過する流体中の粒子を捕集する集塵装置及びこれを備える画像形成装置に関する。
【背景技術】
【０００２】
各種の電気機器や電子機器等においては、装置内になんらかの発熱部材が存在しており、その発熱量が多い場合には、装置の安定動作等の観点から、装置外へ熱を積極的に排出する必要がある。このような排熱は、ファンによる排気によって行われるのが一般的である。この際に、装置内の塵や粒子が排気と一緒に装置外に排出されてしまわないように、集塵装置が必要な場合がある。例えばレーザープリンタ等の画像形成装置は、装置内で微粒子であるトナーを使用するものであり、トナー及びトナー成分に基づく超微粒子等が装置外へと排気されてしまわないように、集塵装置が設けられている。
このような画像形成装置における集塵装置に関連する技術が特許文献１によって開示されている。
【先行技術文献】
【特許文献】
【０００３】
【特許文献１】特開２０１４−６６９７８号公報
【発明の概要】
【発明が解決しようとする課題】
【０００４】
多くの工業製品において小型化の要請があり、画像形成装置においても小型化が求められている。これにより、装置内の各部品のレイアウトもシビアな状況にあり、前述した排気における集塵装置が設けられる流路についても、スペースを有効に利用するために、これを湾曲若しくは屈曲させて設けざるを得ない状況にある。
流路が湾曲若しくは屈曲していると、当該湾曲若しくは屈曲した流路内では、流体の流速に通常とは異なる分布が生じる。具体的には、湾曲若しくは屈曲の内側と外側で流路内を通過する流体の速度の大きさが異なる。このような箇所にフィルター（集塵装置）を設ける必要がる場合、捕集する粒子がフィルターに均等に導入されず、均一な捕集効率を維持することができないという問題がある。
また、遠心力により外側に行くほど粒径が大きい物が集まりやすく、流路方向と垂直の方向において、均一な捕集効率を発揮させることが難しい。
【０００５】
本発明は、上記の点に鑑み、流路内に設置される集塵装置であって、流路が湾曲若しくは屈曲していることにより、流路断面において、流速に偏りがある場合や、粒子の大きさに偏りがある場合にも、均一な捕集効率を得ることが可能な集塵装置を提供することを目的とする。
【課題を解決するための手段】
【０００６】
（構成１）
流路内に設置される集塵装置であって、前記流路内を通過する流体中の粒子を捕集するフィルターを備え、前記フィルターの流路方向と垂直の方向における粒子の捕集性能の分布が、前記流路が湾曲若しくは屈曲していることにより生じる、流路方向と垂直の方向における前記流路内を流れる流体の流速の分布、あるいは、前記流路内を流れる粒子の平均粒径の分布に対応していることを特徴とする集塵装置。
【０００７】
（構成２）
前記フィルターの流路方向と垂直の方向における粒子の捕集性能の分布が、前記湾曲若しくは屈曲の内側から外側にかけて前記フィルターの厚さを変化させることで形成されていることを特徴とする構成１に記載の集塵装置。
【０００８】
（構成３）
前記フィルターの流路方向と垂直の方向における粒子の捕集性能の分布が、前記湾曲若しくは屈曲の内側から外側にかけて前記フィルターの孔径を変化させることで形成されていることを特徴とする構成１又は２に記載の集塵装置。
【０００９】
（構成４）
前記フィルターの流路方向と垂直の方向における粒子の捕集性能の分布が、前記湾曲若しくは屈曲の内側から外側にかけて前記フィルターの孔密度を変化させることで形成されていることを特徴とする構成１から３の何れかに記載の集塵装置。
【００１０】
（構成５）
前記流路内を通過する流体中の粒子を帯電させる帯電部が、前記流路内の前記フィルターよりも上流側に設けられ、前記帯電部の流路方向と垂直の方向における帯電能力の分布が、前記流路が湾曲若しくは屈曲していることにより生じる、流路方向と垂直の方向における前記流路内を流れる流体の流速の分布、あるいは、前記流路内を流れる粒子の平均粒径の分布に対応していることを特徴とする構成１から４の何れかに記載の集塵装置。
【００１１】
（構成６）
前記帯電部の流路方向と垂直の方向における帯電能力の分布が、前記流路内を流れる流体の流速の分布に対応させて前記湾曲若しくは屈曲の内側から外側にかけて帯電量が大きくなるように構成されている、又は、前記流路内を流れる粒子の平均粒径の分布に対応させて前記湾曲若しくは屈曲の内側から外側にかけて帯電量が小さくなるように構成されていることを特徴とする構成５に記載の集塵装置。
【００１２】
（構成７）
前記帯電部が、高電圧発生回路から高電圧が供給され、電界集中を発生させる複数の針状の突起を有する高圧電極と、前記高圧電極に対向して設けられ、前記高電圧発生回路から基準電圧が供給される対向電極と、を備え、前記高圧電極と対向電極との電極間距離が場所によって変化していること、又は、前記針状の突起の設置密度が場所によって変化していること、又は、前記針状の突起の先端形状が場所によって変化していること、又は、前記針状の突起に印加される電圧が場所によって変化していることによって、前記帯電部の流路方向と垂直の方向における帯電能力の分布を形成することを特徴とする構成５又は６に記載の集塵装置。
【００１３】
（構成８）
前記フィルターが、エレクトリック処理されたフィルターである、又は、ハニカム形状若しくはプリーツ形状若しくは目付の不織布で形成されたフィルターであることを特徴とする構成１から７の何れかに記載の集塵装置。
【００１４】
（構成９）
構成１から８の何れかに記載の集塵装置を備えることを特徴とする画像形成装置。
【発明の効果】
【００１５】
本発明の集塵装置によれば、フィルターの流路方向と垂直の方向における粒子の捕集性能の分布が、流路が湾曲若しくは屈曲していることにより生じる流路内を流れる流体の流速の流路方向と垂直の方向における分布、あるいは、流路内を流れる粒子の平均粒径の分布に対応しているため、流路断面において均一な捕集効率を得ることが可能となる。
【図面の簡単な説明】
【００１６】
【図１】画像形成装置内における、集塵装置が備えられている箇所付近を示す図
【図２】集塵装置が備えられている箇所付近を示す一部を切り欠いた斜視図
【図３】流路内に備えられる集塵装置及び帯電部を示す概念図
【図４】帯電部を示す図
【図５】粒子径と、捕集効率の関係を示すグラフ
【図６】捕集効率とフィルター厚さの関係を示す概念図
【図７】帯電部の別の例を示す図
【発明を実施するための形態】
【００１７】
以下、本発明の実施態様について、図面を参照しながら具体的に説明する。なお、基本的に、本発明に関する部分について説明し、従来の画像形成装置と同様の構成となるものについては、説明を省略若しくは簡略化する。
以下の実施態様は、本発明を具体化する際の一形態であって、本発明をその範囲内に限定するものではない。
【００１８】
図１は、本実施形態の画像形成装置内における、集塵装置が備えられている箇所付近を示す図である。図１の下側の図は、定着部１４付近からの排気（排熱）の状態を示すシミュレーション図であり、上側の図は集塵装置１１が備えられている箇所付近を示す図である。図２は、図１の上側の図に対応する斜視図である。
本実施形態に係る画像形成装置１は、レーザープリンタであり、集塵装置１１と、帯電部１２と、ファン１３と、定着部１４と、を備えている。
定着部１４は、熱ロール式であり、加熱ローラを備えることにより、用紙に転写されたトナーを融着させる。
集塵装置１１、帯電部１２、ファン１３は、定着部１４で生じる熱の排熱、定着部１４において用紙から生じる水蒸気の排出、トナー自体やトナー成分に基づく超微粒子（ＵＦＰ）の装置外への排出の防止、装置内のトナー等の粒子が浮遊して各部を汚損することの防止等のために、排気及び集塵をするものである。
なお、本実施形態に係る画像形成装置１の基本的な構成（帯電、露光、現像、転写、定着、及び清掃等の各工程のためのハード的な基本構成）については、従来の画像形成装置と同様であるため、これ以上の説明を省略する。
【００１９】
図１に示されるように、ファン１３からの排気により、画像形成装置１の各部に気流が生じ、これらの気流が最終的にまとまり、ファン１３からの排気へとつながる流路となる。
集塵装置１１と、帯電部１２は、この各所からの気流をまとめる流路上に設けられるものであり、この流路は、装置内の各部の配置の都合上、湾曲した流路となっている。これを概念化した図が図３である。
流路Ｆは、流路Ｆを形成するためのダクトなどの部材によって形成されるものであってもよいし、装置内の他の部材間における隙間によって流路が構成されるもの等であってもよい。
【００２０】
集塵装置１１は、流路Ｆ内に設けられており、フィルターによって構成される。当該フィルターは、流路Ｆの流路方向と垂直の方向における粒子の捕集性能の分布が、流路Ｆが湾曲していることにより生じる流路Ｆ内を流れる流体の流速の流路Ｆの流路方向と垂直方向における分布に対応している。
即ち、湾曲（若しくは屈曲した）流路Ｆ内では、流体の流速の流路断面分布において、通常のストレートの流路とは異なる分布が生じる。本実施形態における集塵装置１１は、当該分布に対応した捕集性能の分布を有するフィルターを備えているものである。
より、具体的には、図１〜３に示されるように、湾曲の内側から外側にかけて厚さが次第に厚くなる形状を有するフィルターを備えている。
ここで、フィルターの粒子の捕集性能とは、フィルターの厚さや穴径、穴密度等、フィルターを構成するパラメータによって達成される性能であり、これらパラメータを変更することによりフィルターの捕集効率を調整することができる。
一般に、厚みが厚い、穴径が小さい、または穴（メッシュ）密度が大きい程、捕集性能及び捕集効率は高い方向に調整される。
【００２１】
帯電部１２は、流路Ｆ内の集塵装置１１よりも上流側に設けられ、流路Ｆを通る粒子を帯電させる。これにより、エレクトリック処理されたフィルターにおいて高い集塵能力が得られる。
図４は、帯電部を示す概略図である。
帯電部１２は、高電圧発生回路（特に図示せず）から高電圧が供給され、電界集中を発生させる複数の針状の突起を有する高圧電極１２１と、高圧電極１２１に対向して設けられ、高電圧発生回路から基準電圧が供給される対向電極１２２と、を備える。
高圧電極１２１は、図４（ｂ）に示されるように、針状の突起が一列に並んだくし状の電極を複数並列に接続するようにして構成される。
対向電極１２２は、上記した複数並列に並んだ各くし状の電極の間に配される板状の電極である。
図４（ａ）に示されるように、流路Ｆ内を流れる流体（装置内の空気）が、高圧電極１２１と対向電極１２２が配されている間を抜けることで、流体に含まれる粒子が帯電し、帯電した粒子がエレクトリック処理されたフィルターで捕集されるものである。
【００２２】
図５は、粒子径と、捕集効率の関係を示すグラフであり、図５（ａ）はフィルターの厚さが１０ｍｍであり流路内の風速（流速）が０．３５ｍ／ｓである場合、図５（ｂ）はフィルターの厚さが１０ｍｍであり流路内の風速が０．５０ｍ／ｓである場合、図５（ｃ）はフィルターの厚さが２０ｍｍであり流路内の風速が０．５０ｍ／ｓである場合をそれぞれ示す。なお、ここで使用したフィルターは本実施形態の集塵装置１１のフィルターではなく、厚さが均一の従来のフィルターであり、流路も直線状のものである。
図５（ａ）〜（ｃ）の各プロットは、帯電部に流した電流に応じたものであり、図５では、帯電部をオフにした場合と、５０μＡ、１１０μＡを流した場合のそれぞれを示している。
【００２３】
先ず図５（ａ）と図５（ｂ）を比較すると、全体的に、図５（ｂ）の方が、捕集効率が低下していることがわかる。具体例として、帯電部をオフにした場合（白抜きの丸のプロット）における粒子径が１００ｎｍの粒子の捕集効率を見ると、図５（ａ）：フィルター厚１０ｍｍ、風速０．３５ｍ／ｓでは５０％程度であるのに対し、図５（ｂ）：フィルター厚１０ｍｍ、風速０．５０ｍ／ｓでは４５％程度に低下する。フィルターの厚さが同じ場合、風速が速くなることにより捕集効率が低下しているものである。
即ち、流路が湾曲していることにより、流路内を流れる流体の流速の流路方向と垂直の方向における分布が生じた場合に、厚さが均一のフィルターを配していると、流速の速くなる部分では捕集効率が低下し、均一な捕集効率を得ることができないことが示されている。
【００２４】
次に、図５（ａ）と図５（ｃ）を比較すると、ほぼ同等の捕集効率であることがわかる。具体例として、帯電部をオフにした場合における粒子径が１００ｎｍの粒子の捕集効率を見ると、図５（ａ）：フィルター厚１０ｍｍ、風速０．３５ｍ／ｓでは５０％程度であり、図５（ｃ）：フィルター厚２０ｍｍ、風速０．５０ｍ／ｓにおいても５０％程度である。風速が増加した分に対応してフィルターの厚さを厚くすることで、捕集効率が同等に保たれている。
即ち、本実施形態の集塵装置１１によれば、流路が湾曲していることにより、流路内を流れる流体の流速に、流路方向と垂直の方向における分布が生じた場合においても、これに対応して厚さが変化するフィルターを用いることで、均一な捕集効率を得ることができることが示されている。
【００２５】
上記の点を概念化した図が図６である。
従来のフィルターは、厚さが均一であるため、流速に分布が生じると、その分布に応じて捕集効率も不均一となってしまう。
これに対し、本実施形態に係る集塵装置１１は、流路Ｆの流路方向と垂直の方向における粒子の捕集性能の分布が、流路Ｆが湾曲していることにより生じる流路Ｆ内を流れる流体の流速の流路Ｆの流路方向と垂直の方向における分布に対応しているため、均一な捕集効率を得ることが可能となるものである。
【００２６】
以上のごとく、本実施形態によれば、流路が湾曲していることにより、流路内を流れる流体の流速の流路方向と垂直の方向における分布が生じている場合においても、均一な捕集効率を得ることが可能となる。フィルター全体で均一な捕集効率を得ることができるということは、フィルターの寿命を改善することができる。即ち、従来のフィルターでは、速度の大きい領域のフィルター部分に負荷が集中するため、そこで先に目詰まりを起こし、フィルターの寿命を劣化させるが、本実施形態では、フィルター全面を同じ負荷で使用するため、フィルターの寿命を長くすることができ、非常に有用である。
【００２７】
本実施形態では、“フィルターの流路方向と垂直の方向における粒子の捕集性能の分布”を、フィルターの厚さを変化させることで形成したが、本発明をこれに限るものではない。
例えば、フィルターの孔径を変化させることや、フィルターの孔密度を変化させることによって、“フィルターの流路方向と垂直の方向における粒子の捕集性能の分布”を形成するようにしてもよい。本実施形態に即してより具体的にすると、湾曲（若しくは屈曲）の内側から外側にかけてフィルターの孔径が小さくなるようにすることや、湾曲（若しくは屈曲）の内側から外側にかけてフィルターの孔密度が大きくなるようにすることによって、“フィルターの流路方向と垂直の方向における粒子の捕集性能の分布”を形成してもよい。
一方、流路の湾曲（若しくは屈曲）による遠心力により、粒径が大きいものが外側に集まり、粒径の小さいものが内側に集まる（外側で平均粒径が大きく、内側で平均粒径が小さくなる）ことで、捕集すべき粒子を粒径ごとに分離することが可能となる場合がある。このような場合はダクト内側から外側にかけたフィルターの各位置で、平均粒径に合わせて最適なフィルター厚さ（平均粒径が小さい程、厚みを厚く）、孔径（平均粒径が小さい程、孔径を小さく）、孔密度（平均粒径が小さい程、孔密度を高く）することでフィルター圧損の不均一化を低減し、捕集効率の均一化及び高い捕集能力が得られるものである。このようなフィルターは、流路内を流れる粒子の平均粒径の分布に対応した捕集性能の分布を有するフィルターであり、流路内を流れる粒子の大きさに分布が生じている状態においても均一な捕集効率を得ることができる。
フィルターの厚さの調整、孔径の調整、孔密度の調整、の何れか又は全てを相互に組み合わせて、“フィルターの流路方向と垂直の方向における粒子の捕集性能の分布”を形成するものであってもよい。
【００２８】
本実施形態では、エレクトリック処理されたフィルターを例としたが、エレクトリック処理してないフィルターを用いるものであってもよい。この場合、フィルターに電圧を印加することで、帯電した粒子を効率よく捕集することができる。また、ハニカム形状若しくはプリーツ形状若しくは目付の不織布で形成されたフィルター等の、各種のフィルターを使用することができる。
【００２９】
また、本実施形態では、帯電部については通常の帯電部を用いるものを例としたが、フィルターと同じように、帯電部の帯電能力にも分布を持たせるようにしてもよい。
即ち、帯電部の流路方向と垂直の方向における帯電能力の分布を、流路が湾曲若しくは屈曲していることにより生じる流路内を流れる流体の流速の流路方向と垂直の方向における分布、あるいは、流路内を流れる粒子の平均粒径の分布に対応させるようにしてもよい。本実施形態に即してより具体的にすると、帯電部の流路方向と垂直の方向における帯電能力の分布を、湾曲若しくは屈曲の内側から外側にかけて帯電量が大きくなるように構成してもよい。
これにより、流速が速い箇所の粒子に対してより大きな帯電をさせることができ、高い速度で集塵装置に突入する粒子も効率よく捕集することができる。
【００３０】
“帯電部の流路方向と垂直の方向における帯電能力の分布”は、高圧電極と対向電極との電極間距離を場所によって変化させること、又は、高圧電極の針状の突起の設置密度を場所によって変化させること、又は、高圧電極の針状の突起の先端形状を場所によって変化させること、又は、高圧電極の針状の突起に印加される電圧を場所によって変化させること等によって、形成できる。
即ち、図４（ａ）で示される高圧電極１２１と対向電極１２２との電極間距離を、場所によって変化させること（例えば、湾曲若しくは屈曲の内側から外側にかけて電極間距離を小さくすること）によって“帯電部の流路方向と垂直の方向における帯電能力の分布”を形成することができる。
また、図４（ｃ）で示される高圧電極１２１の針状の突起のピッチを、場所によって変化させること（例えば、湾曲若しくは屈曲の内側から外側にかけて針のピッチを小さくすること）によって“帯電部の流路方向と垂直の方向における帯電能力の分布”を形成することができる。このようなものの例を図７に示した。図７に示されるように、流路の湾曲の内側となる側では、針のピッチを大きくし、外側に行くに従ってピッチを小さくした高圧電極１２１´を形成することで、“帯電部の流路方向と垂直の方向における帯電能力の分布”を形成できる。なお、針状の突起のピッチを小さくすることにより、リーク電流が生じてしまうような場合には、リーク電流が生じないように適宜針状の突起の高さを低くする。
【００３１】
また、図４（ｂ）に示されるように、針状の突起が一列に並んだくし状の電極を電気的に並列に接続するのではなく、それぞれ個別に異なる電圧を印加できるようにすること（例えば、湾曲若しくは屈曲の内側から外側にかけてより高い電圧を印加すること）によって、“帯電部の流路方向と垂直の方向における帯電能力の分布”を形成することができる。
加えて、高圧電極の針状の突起の先端形状を場所によって変化させることでも“帯電部の流路方向と垂直の方向における帯電能力の分布”を形成することができる。電極は、先端が尖った形状ほど帯電能力が高くなるため（ただし劣化しやすくなる）、これを用いて帯電能力の分布を形成するものである。
【００３２】
以上のように、流路が湾曲若しくは屈曲していることにより生じる流路内を流れる流体の流速の流路方向と垂直の方向における分布に対応させるように“帯電部の流路方向と垂直の方向における帯電能力の分布”を形成することにより、流路が湾曲していることによって流路内を流れる流体の流速の流路方向と垂直の方向における分布が生じている場合においても、流路断面において均一な捕集効率を得ることが可能となり、非常に有用である。
なお、前述のごとく、流路の湾曲（若しくは屈曲）による遠心力により、粒径が大きいものが外側に集まり、粒径の小さいものが内側に集まる（外側で平均粒径が大きく、内側で平均粒径が小さくなる）ことで、捕集すべき粒子を粒径ごとに分離することが可能となる場合がある。このような場合には、流路内を流れる粒子の平均粒径の分布に対応させるように“帯電部の流路方向と垂直の方向における帯電能力の分布”を形成してもよい。粒子の平均粒径が大きいほど、フィルターで捕集され易くなるため、帯電量は小さくても構わない。従って、粒子の平均粒径が小さくなる箇所では帯電量を大きく、粒子の平均粒径が大きくなる箇所では帯電量を小さくするように、帯電能力を分布させればよい（“帯電能力の分布”の形成の方法は前述の通りである）。このように、流路が湾曲していることによって流路内を流れる粒子の平均粒径に分布が生じている場合においても、流路断面において均一な捕集効率を得ることが可能となり、非常に有用である。
【符号の説明】
【００３３】
１．．．画像形成装置
１１．．．集塵装置
１２．．．帯電部
１２１．．．高圧電極
１２２．．．対向電極
１３．．．ファン
１４．．．定着部
【図１】
2019118898.tif 000003
【図２】
2019118898.tif 000004
【図３】
2019118898.tif 000005
【図４】
2019118898.tif 000006
【図５】
2019118898.tif 000007
【図６】
2019118898.tif 000008
【図７】
2019118898.tif 000009